(57)【特許請求の範囲】
【請求項１】
第１帳票部と第２帳票部とを有する基材部と、
前記基材部の前記第１帳票部と前記第２帳票部との連接部分に形成された第１折り返しラインと、
前記基材部の前記第２帳票部側に形成され、前記第１折り返しラインの近傍であって前記第１折り返しラインと平行な第２折り返しラインと、
前記基材部の前記第１折り返しライン及び前記第２折り返しラインに垂直な２辺の外縁部の所定領域に設けられ、前記第１折り返しライン又は前記第２折り返しラインが折り返されたときに前記第１帳票部と前記第２帳票部をその領域において接着する第１接着剤部と、
前記第１帳票部及び前記第２帳票部の前記第１折り返しライン及び前記第２折り返しラインに平行な辺の外縁部の所定領域に設けられ、前記第１折り返しラインが折り返されたときに重なり合うことにより前記第１帳票部と前記第２帳票部とをその領域において接着するとともに、前記第２折り返しラインが折り返されたときに重なり合わないことによりその領域を非接着にする第２接着剤部と、
前記基材部の前記第１接着剤部及び前記第２接着剤部が設けられた面と反対の面であって前記第２帳票部の前記第２接着剤部より外側の所定領域、又は前記基材部の前記第１接着剤部及び前記第２接着剤部が設けられた面と同一面であって前記第１帳票部の前記第２接着剤部より外側の所定領域に設けられ、前記基材部の前記第２折り返しラインが折り返され、さらに前記第１帳票部の前記第２接着剤部が設けられた部分より外側の外縁部が前記第２帳票部の外縁部と重なるように折り返されたときに、その重なり合う外縁部を接着する第３接着剤部と、
前記第３接着剤部の上面を覆い、前記第３接着剤部と剥離可能に設けられた剥離部材と
を備えることを特徴とする製袋フォーム。
【請求項２】
請求項１に記載の製袋フォームにおいて、
前記基材部の前記第１接着剤部の内側に位置するラインであって前記基材部が前記第１折り返しライン又は前記第２折り返しラインから折り返されたときに重なり合う位置に形成され、前記基材部が前記第１接着剤部により接着された後に、前記基材部の前記第１接着剤部が設けられた部分を裁断可能とした第１ミシン目と、
前記基材部の前記第２接着剤部の内側に位置するラインであって前記基材部が前記第１折り返しラインから折り返されたときに重なり合う位置に形成され、前記基材部が前記第２接着剤部により接着された後に、前記基材部の前記第２接着剤部が設けられた部分を裁断可能とした第２ミシン目と
を備えることを特徴とする製袋フォーム。
【請求項３】
請求項２に記載の製袋フォームにおいて、
前記基材部の前記第２帳票部側の前記第２接着剤部の外側に位置するラインであって前記第２折り返しラインが折り返されたときに前記第１帳票部側の前記第２ミシン目と重なる位置に形成され、前記基材部が前記第３接着剤部により接着された後に、前記基材部の前記第３接着剤部が設けられた部分を裁断可能とした第３ミシン目を備える
ことを特徴とする製袋フォーム。
【請求項４】
請求項１〜請求項３のいずれか１項に記載の製袋フォームにおいて、
前記第１帳票部又は前記第２帳票部の少なくとも一方の面上であって前記第１折り返しライン又は前記第２折り返しラインが折り返されたときに密着する面側には、個別情報の記録領域を備える
ことを特徴とする製袋フォーム。
【請求項５】
請求項１〜請求項４のいずれか１項に記載の製袋フォームにおいて、
前記第１帳票部又は前記第２帳票部の少なくとも一方に形成され、前記基材部の一部の領域が開口され又は下地が目視可能に透明化処理された窓部と、
前記第１帳票部又は前記第２帳票部の少なくとも一方の面上であって前記第１折り返しライン又は前記第２折り返しラインが折り返されたときに厚み方向において前記窓部の領域と重なる領域に設けられた第２の個別情報の記録領域と
を備えることを特徴とする製袋フォーム。
【請求項６】
請求項１〜請求項５のいずれか１項に記載の製袋フォームにおいて、
前記第１帳票部又は前記第２帳票部の少なくとも一方の面上であって前記第１折り返しライン又は前記第２折り返しラインが折り返されたときに密着する面側に設けられ、一部に収納口を有するように袋状に接着された第３帳票部を備える
ことを特徴とする製袋フォーム。
【請求項７】
請求項１〜請求項６のいずれか１項に記載の製袋フォームの使用方法であって、
前記製袋フォーム内に収納する物品がないときは、前記第１折り返しラインを折り返して加圧することにより、前記第１帳票部と前記第２帳票部とを前記第１接着剤部及び前記第２接着剤部により接着し、
前記製袋フォーム内に収納する物品があるときは、前記第２折り返しラインを折り返して加圧することにより、前記第１帳票部と前記第２帳票部とを前記第１接着剤部により接着して袋状に形成し、その袋状の内部に前記物品を収納した後に、前記剥離部材を剥離し、前記第１帳票部の前記第２接着剤部が設けられた部分より外側の外縁部を前記第２帳票部の外縁部と重なるように折り返し、その重なり合う外縁部を前記第３接着剤部により接着することで、前記袋状の収納口を封止する
ことを特徴とする製袋フォームの使用方法。
【請求項８】
請求項７に記載の製袋フォームの使用方法において、
前記製袋フォームに収納する物品がないときは、前記第１帳票部及び前記第２帳票部の前記第１折り返しラインと平行な辺の外縁部であって前記第２接着剤部が設けられた部分の外側の前記第３接着剤部を含む外縁部を切断する
ことを特徴とする製袋フォームの製造方法。
【発明の詳細な説明】
【０００１】
【発明の属する技術分野】
この発明は、複数の連接した帳票部を折り返して袋状に形成する製袋フォームと、その使用方法に関するものである。
【０００２】
【従来の技術】
図４は、従来の製袋フォームの第１の例を示す斜視図である。この製袋フォームは、給料袋として使用されるものである。製袋フォーム１０は、図中上下方向に連続する連続帳票の一葉である。製袋フォーム１０の両端部には、印字時にプリンタと係合するためのスプロケット孔１０ａ，１０ｂが形成されている。製袋フォーム１０は、帳票片１１、１２、及び１３を有している。帳票片１１と１３とは、情報が複写可能な裏カーボン紙又はノンカーボン紙から形成されている。帳票片１１と１２とは、図中上下方向の外縁部が接着されている。従って、帳票片１１と１２とは、袋状に接着されている。また、帳票片１３は、スポット糊等で剥離可能に、その図中左右両側外縁部が帳票片１１と接着されている。
【０００３】
帳票片１２は、帳票片１１より図中右側外縁部が長く形成されており、その領域には、ミシン目１２ａ及び接着剤部１４が形成されている。ミシン目１２ａは、帳票片１２をそのラインに沿って折り曲げ可能としたものである。また、接着剤部１４は、ミシン目１２ａの外側に設けられ、その上面には、剥離紙が貼付されている。
【０００４】
製袋フォーム１０は、ドットプリンタにより処理される。帳票片１３上から受取人の氏名や給料明細等の情報が印字されると、その情報は、帳票片１１上には選択的に、帳票片１２上にはすべて複写される。そして、この処理後、帳票片１３は、袋状に形成された帳票片１１，１２からセパレータで分離され、控えとして使用される。また、帳票片１１と１２とでなす袋状部分に、現金等が収納される。その後、接着剤部１４の剥離紙が剥離され、ミシン目１２ａから帳票片１２の外側部分を帳票片１１側に折り返し、接着剤部１４と帳票片１１とを接着する。これにより、袋状部分の開口辺が封止される。
【０００５】
図５は、従来の製袋フォームの第２の例を示す平面図である。この製袋フォーム２０は、上記第１の例と同様に、給料袋として使用されるものである。
製袋フォーム２０は、一方向に連接された帳票部２１、２２、及び２３を有している。帳票部２１と２２との間、及び帳票部２２と２３との間には、折り返し可能なミシン目２４及び２５が形成されている。帳票部２１は、他の帳票部２２及び２３より横幅が長く形成されている。そして、帳票部２１の図中左側外縁部には、ミシン目２１ａが形成されている。
【０００６】
また、帳票部２１のミシン目２１ａの外側であって図中裏面側には、剥離紙を有する接着剤部２６が設けられている。また、帳票部２１と２２との図中上下側の辺の外縁部であって図中裏面側には、接着剤部２７が設けられている。さらに、帳票部２２と２３との図中表面側には、両者が重ねられ加圧されることにより、両者を剥離可能に接着する接着剤部２８が設けられている。
【０００７】
製袋フォーム２０の図中表面側には、ＮＩＰ（ノンインパクトプリンタ）により、受取人の氏名や給料明細等が印字される。印字後、ミシン目２４は、帳票部２１と２２との図中裏面側同士が重なるように折り返される。これが加圧されると、帳票部２１と２２とは接着剤部２７により袋状に接着される。また、ミシン目２５は、帳票部２２と２３との図中表面側同士が重なるように折り返される。これが加圧されると、接着剤部２８により、両者は剥離可能に接着される。従って、帳票部２２と２３とに印字された給料明細等の情報が一時的に隠蔽される。また、帳票部２１と２２とでなす袋状部分には、現金等が収納される。そして、ミシン目２１ａが帳票部２１の図中裏面側に折り返され、接着剤部２６が帳票部２３の図中裏面側に接着されることで、帳票部２１と２２とでなす袋状部分が封止される。
【０００８】
【発明が解決しようとする課題】
しかし、前述の従来の製袋フォームでは、以下の課題があった。
第１の例では、給料明細等の情報を複写によって印字する方式であるので、ドットプリンタでしか印字できず、ＮＩＰを使用することができないという問題があった。従って、製袋フォーム１０の処理速度が遅いという問題があった。
また、第１，第２の例ともに、収納物がない場合でも、給料明細等の情報が見えやすくなること等から、第１の例での接着剤部１４、第２の例での接着剤部２６をそれぞれ設け、袋状の開口部分を封止する必要があった。これにより、無駄な作業を行わなければならないという問題があった。
また、製袋フォームの大きさに対して小さい収納物（例えば、小銭）は、袋状部分の内部で移動してしまい、収納物の安定性に欠けるとともに、その収納物が袋を突き破って外に出てしまう可能性があるという問題があった。
【０００９】
一方、製袋フォームの基材の一部に窓を設け、その窓から印字した部分が見えるようにしたものが知られている。このようにすれば、プリンタにより片面印字をする場合において、製袋フォームの表面側には印字できないときであっても、受取人の氏名等が見えるように形成することができる。
しかし、収納物が移動してしまい、窓部から見えてしまう場合があるという問題があった。これとは反対に、収納物が移動してしまうことによって、窓部から本来見える情報が隠されてしまうという問題があった。
【００１０】
これらの問題点を解決するために、本件出願人は、ＮＩＰによる出力が可能であり、収納物がないときは開口部分の封止作業を行う必要がなく、収納物の移動を抑制して安定させた製袋フォームを既に出願している（特願平７−２４９４７１号）。
しかしこの発明では、収納物がないときでも、収納物を収納した後に袋状の開口部分を封止するための接着剤部が残ってしまうという欠点を有していた。また、収納物の収納後に開口部分を接着剤部により接着するときに、その接着剤部は、袋状の内部に位置しているので、接着剤部上の剥離部材を剥離しにくかった。ここで、剥離部材を剥離しやすくするためには接着剤部と対向する領域を一部ずつ切り取らなければならず、煩雑である。
【００１１】
本発明の課題は、特願平７−２４９４７１号の発明の利点を生かしつつ、収納物がないときは、開口部分を封止するための接着剤部が残らず、かつ収納物があるときは、その接着剤部により簡便に開口部分を封止することができるようにすることにある。
【００１２】
【課題を解決するための手段】
上述の課題を解決するために、請求項１の発明は、第１帳票部（３１）と第２帳票部（３２）とを有する基材部と、前記基材部の前記第１帳票部と前記第２帳票部との連接部分に形成された第１折り返しライン（３３）と、前記基材部の前記第２帳票部側に形成され、前記第１折り返しラインの近傍であって前記第１折り返しラインと平行な第２折り返しライン（３２ｅ）と、前記基材部の前記第１折り返しライン及び前記第２折り返しラインに垂直な２辺の外縁部の所定領域に設けられ、前記第１折り返しライン又は前記第２折り返しラインが折り返されたときに前記第１帳票部と前記第２帳票部をその領域において接着する第１接着剤部（３５ａ〜３５ｄ）と、前記第１帳票部及び前記第２帳票部の前記第１折り返しライン及び前記第２折り返しラインに平行な辺の外縁部の所定領域に設けられ、前記第１折り返しラインが折り返されたときに重なり合うことにより前記第１帳票部と前記第２帳票部とをその領域において接着するとともに、前記第２折り返しラインが折り返されたときに重なり合わないことによりその領域を非接着にする第２接着剤部（３６ａ〜３６ｄ）と、前記基材部の前記第１接着剤部及び前記第２接着剤部が設けられた面と反対の面であって前記第２帳票部の前記第２接着剤部より外側の所定領域、又は前記基材部の前記第１接着剤部及び前記第２接着剤部が設けられた面と同一面であって前記第１帳票部の前記第２接着剤部より外側の所定領域に設けられ、前記基材部の前記第２折り返しラインが折り返され、さらに前記第１帳票部の前記第２接着剤部が設けられた部分より外側の外縁部が前記第２帳票部の外縁部と重なるように折り返されたときに、その重なり合う外縁部を接着する第３接着剤部（３７）と、前記第３接着剤部の上面を覆い、前記第３接着剤部と剥離可能に設けられた剥離部材とを備えることを特徴とする。
【００１３】
請求項２の発明は、請求項１に記載の製袋フォームにおいて、前記基材部の前記第１接着剤部の内側に位置するラインであって前記基材部が前記第１折り返しライン又は前記第２折り返しラインから折り返されたときに重なり合う位置に形成され、前記基材部が前記第１接着剤部により接着された後に、前記基材部の前記第１接着剤部が設けられた部分を裁断可能とした第１ミシン目（３４ａ，３４ｂ）と、前記基材部の前記第２接着剤部の内側に位置するラインであって前記基材部が前記第１折り返しラインから折り返されたときに重なり合う位置に形成され、前記基材部が前記第２接着剤部により接着された後に、前記基材部の前記第２接着剤部が設けられた部分を裁断可能とした第２ミシン目（３１ｂ，３２ｂ）とを備えることを特徴とする。
【００１４】
請求項３の発明は、請求項２に記載の製袋フォームにおいて、前記基材部の前記第２帳票部側の前記第２接着剤部の外側に位置するラインであって前記第２折り返しラインが折り返されたときに前記第１帳票部側の前記第２ミシン目と重なる位置に形成され、前記基材部が前記第３接着剤部により接着された後に、前記基材部の前記第３接着剤部が設けられた部分を裁断可能とした第３ミシン目（３２ａ）を備えることを特徴とする。
【００１５】
請求項４の発明は、請求項１〜請求項３のいずれか１項に記載の製袋フォームにおいて、前記第１帳票部又は前記第２帳票部の少なくとも一方の面上であって前記第１折り返しライン又は前記第２折り返しラインが折り返されたときに密着する面側には、個別情報の記録領域（３２ｄ）を備えることを特徴とする。
【００１６】
請求項５の発明は、請求項１〜請求項４のいずれか１項に記載の製袋フォームにおいて、前記第１帳票部又は前記第２帳票部の少なくとも一方に形成され、前記基材部の一部の領域が開口され又は下地が目視可能に透明化処理された窓部（３１ｃ）と、前記第１帳票部又は前記第２帳票部の少なくとも一方の面上であって前記第１折り返しライン又は前記第２折り返しラインが折り返されたときに厚み方向において前記窓部の領域と重なる領域に設けられた第２の個別情報の記録領域（３２ｃ）とを備えることを特徴とする。
【００１７】
請求項６の発明は、請求項１〜請求項５のいずれか１項に記載の製袋フォームにおいて、前記第１帳票部又は前記第２帳票部の少なくとも一方の面上であって前記第１折り返しライン又は前記第２折り返しラインが折り返されたときに密着する面側に設けられ、一部に収納口を有するように袋状に接着された第３帳票部（３９ａ）を備えることを特徴とする。
【００１８】
請求項７の発明は、請求項１〜請求項６のいずれか１項に記載の製袋フォームの使用方法であって、前記製袋フォーム内に収納する物品がないときは、前記第１折り返しラインを折り返して加圧することにより、前記第１帳票部と前記第２帳票部とを前記第１接着剤部及び前記第２接着剤部により接着し、前記製袋フォーム内に収納する物品があるときは、前記第２折り返しラインを折り返して加圧することにより、前記第１帳票部と前記第２帳票部とを前記第１接着剤部により接着して袋状に形成し、その袋状の内部に前記物品を収納した後に、前記剥離部材を剥離し、前記第１帳票部の前記第２接着剤部が設けられた部分より外側の外縁部を前記第２帳票部の外縁部と重なるように折り返し、その重なり合う外縁部を前記第３接着剤部により接着することで、前記袋状の収納口を封止することを特徴とする。
【００１９】
請求項８の発明は、請求項７に記載の製袋フォームの使用方法において、前記製袋フォームに収納する物品がないときは、前記第１帳票部及び前記第２帳票部の前記第１折り返しラインと平行な辺の外縁部であって前記第２接着剤部が設けられた部分の外側の前記第３接着剤部を含む外縁部を切断することを特徴とする。
【００２０】
【発明の実施の形態】
以下、図面等を参照して、本発明の一実施形態について説明する。図１は、本発明による製袋フォームの一実施形態を示す図である。この実施形態での製袋フォーム３０は、従来例と同様に、給料袋として使用されるものである。
製袋フォーム３０は、図中上下方向に連続する連続帳票の一葉である。製袋フォーム３０の図中左右側の外縁部には、製袋フォーム３０がプリンタにより処理されるときにプリンタの用紙搬送部と係合するためのスプロケット孔３０ａ及び３０ｂが形成されている。
【００２１】
製袋フォーム３０は、帳票部３１と３２とを有している。帳票部３１と３２との間には、折り返し可能なミシン目３３が設けられている。帳票部３１の左側領域には、ミシン目３３と平行なミシン目３１ａ及び３１ｂが形成されている。同様に、帳票部３２の図中右側領域には、ミシン目３３と平行なミシン目３２ａ及び３２ｂが形成されている。
【００２２】
ここで、ミシン目３１ａと３２ａ、及びミシン目３１ｂと３２ｂは、ミシン目３３に対して線対称となる位置に形成されている。すなわち、ミシン目３３から折り返されて帳票部３１と３２とが重なったときに、ミシン目３１ａと３２ａ、及びミシン目３１ｂと３２ｂとが重なる位置に形成されている。
また、製袋フォーム３０の図中上下側の外縁部には、ミシン目３３と垂直な方向にミシン目３４ａ及び３４ｂが形成されている。
さらに、帳票部３２のミシン目３３の近傍には、ミシン目３３と平行にミシン目３２ｅが形成されている。ミシン目３２ｅは、ミシン目３１ｂと３２ａとがミシン目３２ｅに対して線対称となる位置に形成されている。すなわち、ミシン目３２ｅから折り返されて帳票部３１と３２とが重なったときに、ミシン目３１ｂと３２ａとが重なるように形成されている。
【００２３】
図１（ａ）に示す製袋フォーム３０の表面側において、帳票部３１のミシン目３１ａと３１ｂとの間の領域には、接着剤部３６ａ及び３６ｂが設けられている。また、帳票部３１のミシン目３４ａ及び３４ｂの外側の領域には、それぞれ接着剤部３５ａ及び３５ｂが設けられている。
同様に、帳票部３２のミシン目３２ａと３２ｂとの間の領域には、接着剤部３６ｃ及び３６ｄが設けられている。また、帳票部３２のミシン目３４ａ及び３４ｂの外側の領域には、それぞれ接着剤部３５ｃ及び３５ｄが設けられている。そして、接着剤部３６ａと３６ｃ、３６ｂと３６ｄ、３５ａと３５ｃ、及び３５ｂと３５ｄとは、ミシン目３３に対して線対称となる位置に設けられている。
これらの接着剤部３５及び３６には、感圧接着剤が用いられている。感圧接着剤は、互いに重ねられて加圧されると、強接着される性質を有するものである。
【００２４】
なお、図１に示すように、接着剤部３６ａと３６ｂ、及び接着剤部３６ｃと３６ｄは、図中左右方向にずれて配置されている。これは、製袋フォーム３０が連続帳票の一葉であり、各製袋フォーム３０は、略蛇腹状に折りたたまれているので、このときに互いに重なる製袋フォーム３０の接着剤部３６同士が貼り付いてしまうことを防止するためである。接着剤部３５ａ及び３５ｃと、接着剤部３５ｂ及び３５ｄも同様であり、接着剤部３５ａ及び３５ｃは、図１中上側寄りに、接着剤部３５ｂ及び３５ｄは、ミシン目３４ｂ寄りに配置されている。
【００２５】
一方、図１（ｂ）に示す製袋フォーム３０の裏面側において、帳票部３２のミシン目３２ａの外側には、接着剤部３７が設けられている。接着剤部３７は、帳票部３２上に設けられた接着剤と、その上面を覆うように剥離可能に貼付された剥離部材とから構成されている。接着剤部３７には、一般の両面テープを用いても良い。
【００２６】
帳票部３１の所定領域には、基材が開口された窓３１ｃが形成されている。さらにこの窓３１ｃ上には、窓３１ｃの領域を覆うように透明又は半透明のフィルム３８が接着されている。
また、帳票部３１の他の領域には、ポケット部３９が形成されている。ポケット部３９は、透明，半透明若しくは不透明のフィルム又は紙材等からなる帳票片３９ａと、帳票片３９ａを接着している接着剤部３９ｂとから構成されている。接着剤部３９ｂは、帳票片３９ａの図中左側の１辺が開口して略ポケット状となるように、帳票片３９ａの３辺の外縁部に設けられている。
これらの窓３１ｃの形成及びフィルム３８の接着、接着剤部３９ｂの塗布及び帳票片３９ａの接着は、例えばフンケラー社製の帳票加工機「ウェブフィニッシングシステム」を用いて行われる。
【００２７】
図１（ａ）において、帳票部３２上には、個別情報を記録するための記録領域３２ｃと、隠蔽情報を記録するための記録領域３２ｄが設けられている。記録領域３２ｃは、この実施形態では給料の受取人の氏名や支払い年月等が印字される領域である。また、記録領域３２ｄは、この実施形態では給料の支給額等が印字される領域である。
記録領域３２ｃは、ミシン目３３又は３２ｅが折り返され帳票部３１と３２とが重ねられたときに、厚み方向において窓３１ｃの領域内に入るように配置されている。
【００２８】
次に、製袋フォーム３０の使用方法について説明する。
先ず、製袋フォーム３０は、連続帳票の状態でプリンタ（ＮＩＰ）により処理される。帳票部３２の記録領域３２ｃ及び３２ｄには、それぞれ上述した所定の情報が印字される。
【００２９】
次に、製袋フォーム３０は、２通りの場合に分けて処理される。第１に、製袋フォーム３０内に現金その他の収納物がないとき（例えば、給料が銀行振り込みであるとき）は、ミシン目３１ａ及び３２ａがスリットされる。これにより、製袋フォーム３０の左右両側のスプロケット孔３０ａ及び３０ｂを有する部分、並びに帳票部３２の接着剤部３７を有する部分が切り落とされる。
【００３０】
そして、ミシン目３３が折り返される。ミシン目３３は、帳票部３１と３２との図１中、表面側が密着するように折り返される。この折り返しにより、接着剤部３５ａと３５ｃ、接着剤部３５ｂと３５ｄ、接着剤部３６ａと３６ｃ、及び接着剤部３６ｂと３６ｄが重なり合う。これが加圧されると、これらの接着剤部同士が接着される。すなわち、帳票部３１と３２との３辺の外縁部が接着される。なお、加圧は、メールシーラー等を用いて行われる。
【００３１】
図２は、このときの製袋フォーム３０を示す平面図である。窓３１ｃからは、記録領域３２ｃに印字された情報が見えるようになる。また、記録領域３２ｄは、外部から隠蔽される。
【００３２】
一方、製袋フォーム３０内に現金その他の収納物があるときは、切断ライン３１ｆ及び３２ｆが切断される。これにより、製袋フォーム３０の左右両側のスプロケット孔３０ａ及び３０ｂを有する部分が切り落とされる。
そして、ミシン目３２ｅが折り返される。ミシン目３２ｅは、上述のミシン目３３と同様に、帳票部３１と３２との図１中、表面側が密着するように折り返される。この折り返しにより、接着剤部３５ａと３５ｃ、及び接着剤部３５ｂと３５ｄが重なり合う。一方、ミシン目３２ｅの折り返しによっては、接着剤部３６ａと３６ｃ、及び接着剤部３６ｂと３６ｄとは、厚み方向においてずれて配置され、重ならない。これが上述と同様に加圧されると、接着剤部３５ａと３５ｃ、及び接着剤部３５ｂと３５ｄが接着される。すなわち、帳票部３１と３２との折り返されたミシン目３２ｅと垂直な２辺の外縁部が接着される。これにより、製袋フォーム３０は、１辺が開口された袋状に形成される。
【００３３】
図３は、このときの製袋フォーム３０の様子を示す斜視図である。そして、この袋状の開口された部分から現金や源泉徴収票等の収納物を入れることができる。ここで、収納物をポケット部３９内に収納すれば、収納物の製袋フォーム３０内での可動範囲を小さくすることができる。これにより、収納物が、窓３１ｃから見えることを防止することができる。
収納物の収納後は、接着剤部３７の剥離部材を剥離し、ミシン目３１ａを接着剤部３７側に折り返して、ミシン目３１ａより外側の外縁部を接着剤部３７に接着させ、製袋フォーム３０の袋状部分の開口部を封止する。この封止により、実質的にポケット部３９の開口辺（図１中、左側）が封止されるので、ポケット部３９から収納物が脱落してしまうことはない。
【００３４】
以上により、収納物がないときは、全ての外縁部が接着されるので、特に作業を行う必要はない。さらに、不要な接着剤部３７が製袋フォームに残らない。また、収納物を収納するときと収納しないときとで、折り返しの位置をミシン目３３又は３２ｅに変えることのみで、製袋フォーム３０の共通化を図ることができる。
【００３５】
収納物がない製袋フォーム３０の受取人は、図２において、ミシン目３４ａ，３４ｂ，並びに重なったミシン目３１ｂ及び３２ｂを裁断して、接着剤部３５及び３６により接着された領域を除去すれば、帳票部３１と３２とを見開くことができ、記録領域３２ｄに印字された給料の支給額等を見ることができるようになる。
また、収納物がある製袋フォーム３０の受取人は、ミシン目３４ａ及び３４ｂ、並びに重なったミシン目３１ｂ及び３２ａを裁断して、接着剤部３５及び３７の領域を除去すれば、帳票部３１と３２とを見開くことができ、製袋フォーム３０内に収納された現金等を受け取ることができるとともに、記録領域３２ｄに印字された給料の支給額等を見ることができる。
【００３６】
以上、本発明の一実施形態について説明したが、本発明は、上述した実施形態に限定されることなく、均等の範囲内で以下のような種々の変形が可能である。
（１）ミシン目３３，３２ｅ及び３１ａは、必ずしも形成する必要はない。例えば帳票加工機がこの位置から正確に折り返すことができれば良い。また、ミシン目３４ａ，３４ｂ，３１ｂ，３２ａ及び３２ｂは、必ずしも形成する必要はなく、例えば印刷等により裁断ラインを明示しておき、受取人が、はさみ等でこのラインを切断するようにしても良い。
（２）窓３１ｃは、基材を開口する方法に限らず、透明化剤を塗布して帳票部３１の基材の一部を透明化処理しても良い。なお、製袋フォーム３０の両面側に印字するようにしたときは、窓３１ｃは不要である。
【００３７】
（３）ポケット部３９は、必要に応じて設けられるものであり、必ずしも設けられるものではない。また、ポケット部３９は、帳票部３２側に設けても良い。さらに、ポケット部３９は、窓部３１ｃを設けないときは、帳票部３１又は３２の略全面に設けても良い。さらにまた、ポケット部３９の帳票片３９ａは、透明又は半透明であれば内部に収納された収納物を見ることができ、不透明な紙材等であればその上面に印字することができる。
【００３８】
（４）接着剤部３７は、帳票部３２側に設けたが、帳票部３１側に設けても良い。このときは、帳票部３１の図１中表面側のミシン目３１ａと切断ライン３１ｆとの間に設けられる。
（５）帳票部３１と３２との、図１中裏面側には、何も印刷されていなくても良いが、彩紋印刷等をすれば、記録領域３２ｄに印字された内容が見えにくくなり、好ましい。
（６）実施形態では、製袋フォーム３０は、給料袋として使用したが、これに限定されず、収納物が収納されるときとされないときとがあるものに対して、広く適用することができる。
【００３９】
【発明の効果】
請求項１又は請求項７若しくは請求項８の発明によれば、収納物がないときは、全ての外縁部が接着されるので、特に作業を行う必要はなく、さらに第３接着剤部が製袋フォームに残らない。また、収納物があるときは、剥離部材を簡便に剥離して第３接着剤部により袋状の開口部分を封止することができる。したがって、収納物の有無に応じて作業を簡易に行うことができる。さらに、収納物を収納するときと収納しないときとで、折り返し位置（第１折り返しライン又は第２折り返しライン）を変えることのみで対応することができる。これにより、製袋フォームの共通化を図ることができる。
【００４０】
請求項２の発明によれば、全ての外縁部が接着された製袋フォームを開封するときに、はさみ等を使用しないで簡便に開封することができる。
請求項３の発明によれば、第３接着剤部を用いて封止した製袋フォームを開封するときに、はさみ等を使用しないで簡便に開封することができる。
【００４１】
請求項４の発明によれば、この領域に記録した情報を隠蔽することができる。請求項５の発明によれば、製袋フォームに片面印字を行っても、その反対側の面から、窓部を介して印字した情報が見えるようになる。
請求項６の発明によれば、収納物を第３帳票部により形成されるポケット状の部分に収納することができるようになり、収納物の内部での移動を抑制して収納物を安定させることができ、収納物の脱落等を抑制することができる。
【図面の簡単な説明】
【図１】本発明による製袋フォームの一実施形態を示す図である。
【図２】図１の製袋フォーム３０がミシン目３３から折り返されて製袋されたときの様子を示す平面図である。
【図３】図１の製袋フォーム３０がミシン目３２ｅから折り返されて製袋されたときの様子を示す斜視図である。
【図４】従来の製袋フォームの第１の例を示す斜視図である。
【図５】従来の製袋フォームの第２の例を示す平面図である。
【符号の説明】
３０  製袋フォーム
３０ａ，３０ｂ  スプロケット孔
３１，３２  帳票部
３１ａ，３１ｂ，３２ａ，３２ｂ，３２ｅ，３３，３４ａ，３４ｂ  ミシン目
３１ｆ，３２ｆ  切断ライン
３１ｃ  窓部
３２ｃ，３２ｄ  記録領域
３５ａ，３５ｂ，３５ｃ，３５ｄ  接着剤部
３６ａ，３６ｂ，３６ｃ，３６ｄ  接着剤部
３７  接着剤部
３８  フィルム
３９  ポケット部
３９ａ  帳票片
３９ｂ  接着剤部
【図１】
0003765604.tif 000002
【図２】
0003765604.tif 000003
【図３】
0003765604.tif 000004
【図４】
0003765604.tif 000005
【図５】
0003765604.tif 000006